(57)【特許請求の範囲】
【請求項１】
ＤＣブラシレスモーターおよび前記ＤＣブラシレスモーターを内蔵しているモーターフレームよりなるモーター部と、吸込管と吐出管を有するポンプケーシングカバーおよび羽根車を内蔵したポンプケーシングよりなるポンプ部で構成されたＤＣブラシレスモーターポンプであって、
ＤＣブラシレスモーターの回転を制御するための電子回路基板がケース内に収まり且つ全ての電子回路基板が下方に開放されるように該ケースに内蔵され、
電子回路基板が内蔵された前記ケースは、該ケースの開口部をポンプ設置状態で下向きとするように配設されると共に開口部を介してケースの内外が連通していることを特徴とするＤＣブラシレスモーターポンプ。
【請求項２】
電子回路基板は、ポッティング等を施して防湿構造に構成されたことを特徴とする請求項１記載のＤＣブラシレスモーターポンプ。
【請求項３】
電子回路基板を内蔵したケースは、ポンプ設置状態でポンプ部上部のモーターフレーム上に配設されたことを特徴とする請求項１または請求項２のいずれかに記載のＤＣブラシレスモーターポンプ。
【請求項４】
電子回路基板を内蔵するケースは、アルミニウムで形成されたことを特徴とする請求項１乃至請求項３のいずれか一項に記載のＤＣブラシレスモーターポンプ。
【発明の詳細な説明】
【０００１】
【発明の属する技術分野】
本発明は、ＤＣブラシレスモーターを駆動源とし、その回転を制御するための電子回路基板を備えたＤＣブラシレスモーターポンプに関する。
【０００２】
【従来の技術】
近年、ＤＣブラシレスモーターを駆動源とするポンプは、気泡浴槽装置における入浴者の好みにあわせた気泡噴流の強さの設定を、ＤＣブラスレスモーターの回転数変化で行うため、気泡浴槽装置小型化のために使用されることが多くなっている。
【０００３】
前記ＤＣブラシレスモーターポンプは、ＤＣブラシレスモーターの回転を制御するために電子回路を必要としており、この電子回路は信号ケーブル等を使用し、ＤＣブラシレスモーターから離れた位置に接続すると、ノイズ（雑音）が電子回路に影響して誤動作の原因となるため、電子回路を構成する基板をポンプ本体近くに設ける必要がある。
【０００４】
以下、従来のＤＣブラシレスモーターポンプの構成について、図２を参照して説明する。
【０００５】
図２に示すように、このＤＣブラシレスモーターポンプは、ＤＣブラシレスモーター（図示せず）、およびこのＤＣブラシレスモーターを内蔵しているモーターフレーム１よりなるモーター部と、湯水を吸込むための吸込管３と湯水を吐出するための吐出管４を有するポンプケーシングカバー２および湯水を吸込み吐出するためのマグネット付き羽根車（図示せず）を内蔵しているポンプケーシング５よりなるポンプ部で構成され、そして、ＤＣブラシレスモーターの回転を制御するための電子回路基板７をケース６に収め、ケース６および電子回路基板７を取付ネジ８でモーターフレーム１の外側の一部に固定し、ケース６内をゴムパッキン９を介在させて蓋１０で密封し、蓋１０は取付ネジ１１で取付けられる構成になっている。
【０００６】
【発明が解決しようとする課題】
ところで上記ＤＣブラシレスモーターポンプは、湿度が高い場所で使用される機会が多い。したがって、ＤＣブラシレスモーターの回転を制御するための電子回路基板７の防湿対策のため、電子回路基板７を内蔵するケース６には、ケース６内を密閉するためのゴムパッキン９および蓋１０を必要とする。
【０００７】
このため、部品点数の増加、取付けの手間がかかる等の問題があり、また環境問題の点からも部品点数の削減が必要である。一方、ゴムパッキン９および蓋１０が無い場合には、水はケース６に溜り、電子回路基板７を浸水させ、電子回路を破壊し誤動作となる。また、実運転時、電子回路基板７の発熱でケース６内の温度が高くなり、外気の温度がケース６内の温度よりも低くなった際には、ケース６内は結露が発生する。そして、結露によって発生した水滴はケース６に溜り、電子回路基板７を浸水させ、電子回路を破壊し誤動作させるという問題がある。
【０００８】
本発明は上記従来の問題点を解決するもので、比較的簡単な構造で、ＤＣブラシレスモーターの回転を制御する電子回路基板を内蔵したケースに水が溜まり電子回路を破壊し誤動作することを防止すること、および部品点数の削減を行えるＤＣブラシレスモーターポンプを提供することを目的とする。
【０００９】
【課題を解決するための手段】
上記目的を達成するために、本発明は、ＤＣブラシレスモーターの回転を制御する電子回路基板を内蔵したケースを備えたＤＣブラシレスモーターポンプであって、電子回路基板がケース内に収まり且つ全ての電子回路基板が下方に開放されるように該ケースに内蔵され、電子回路基板が内蔵された前記ケースは、該ケースの開口部をポンプ設置状態で下向きとするように配設されると共に開口部を介してケースの内外が連通した構成とする。
【００１０】
この発明によれば、ＤＣブラシレスモーターの回転を制御する電子回路基板を内蔵したケースに水が溜まり、電子回路を破壊し誤動作になることを防止すること、および部品点数の削減を行えるＤＣブラシレスモーターポンプを提供することができる。
【００１１】
【発明の実施の形態】
本発明の請求項１に記載の発明は、ＤＣブラシレスモーターおよび前記ＤＣブラシレスモーターを内蔵しているモーターフレームよりなるモーター部と、吸込管と吐出管を有するポンプケーシングカバーおよび羽根車を内蔵したポンプケーシングよりなるポンプ部で構成されたＤＣブラシレスモーターポンプであって、ＤＣブラシレスモーターの回転を制御するための電子回路基板がケース内に収まり且つ全ての電子回路基板が下方に開放されるように該ケースに内蔵され、電子回路基板が内蔵された前記ケースは、該ケースの開口部をポンプ設置状態で下向きとするように配設されると共に開口部を介してケースの内外が連通していることを特徴とするＤＣブラシレスモーターポンプであり、ＤＣブラシレスモーターの回転を制御する電子回路基板を内蔵したケースに水が溜まり電子回路を破壊し誤動作になることを防止し、部品点数の削減を行えるという作用を有する。
【００１２】
本発明の請求項２に記載の発明は、請求項１に記載のＤＣブラシレスモーターポンプにおいて、電子回路基板は、ポッティング等を施して防湿構造に構成されたものであり、電子回路基板における防湿性能が向上し、電子回路を破壊し誤動作になることをより確実に防止するという作用を有する。
【００１３】
本発明の請求項３に記載の発明は、請求項１または請求項２のいずれかに記載のＤＣブラシレスモーターポンプにおいて、電子回路基板を内蔵したケースは、ポンプ設置状態でポンプ部上部のモーターフレーム上に配設されたものであり、ポンプに水がかかった場合でも水が直接電子回路基板にかかることを防止し、さらに、ＤＣブラシレスモーターとケースをコンパクトに構成することができるという作用を有する。
【００１４】
本発明の請求項４に記載の発明は、請求項１乃至請求項３のいずれか一項に記載のＤＣブラシレスモーターポンプにおいて、電子回路基板を内蔵するケースは、アルミニウムで形成されたものであり、熱伝導性の良い材料であるアルミニウムでケースを形成したから、ケースに放熱機能を持たせることができ、電子回路基板およびＤＣブラシレスモーターの温度上昇を効果的に抑え、放熱を促進できるという作用を有する。
【００１５】
以下、本発明の実施の形態を図面に基づいて詳細に説明する。
【００１６】
（実施の形態１）
図１は、本発明の実施の形態１のＤＣブラシレスモーターポンプの断側面図である。なお、図１において、従来の技術で説明したＤＣブラシレスモーターポンプの部材に対応する部材には、前記従来の技術と同じ符号を付している。
【００１７】
図１において、１はＤＣブラシレスモーターを内蔵したモーターフレーム、２は湯水を吸込むための吸込管３および湯水を吐出するための吐出管４を有するポンプケーシングカバー、５は湯水を吸込み吐出するためのマグネット付き羽根車を内蔵したポンプケーシングであり、これらは前記従来の技術と同様に構成されている。
【００１８】
本実施の形態１の特徴は、ＤＣブラシレスモーターの回転を制御する電子回路基板７を内蔵したケース６の配設構成にあり、すなわち、このケース６は、その開口部がポンプ設置状態で下向きになるように配設している。
【００１９】
前記のケース６は、モーターフレーム１上に設置し、取付ネジ８でモーターフレーム１に固定しても良く、この場合、よりコンパクトな構成が可能となる。
【００２０】
さらに、ＤＣブラシレスモーターの回転を制御する電子回路基板７は、その表面上にポッティング等の防湿対策を行って防湿構造に構成しても良い。
【００２１】
このように構成したＤＣブラシレスモーターポンプは、水がケース６に溜まることはなく、ケース６の外に排出される。そのため、電子回路基板７を浸水させ、回路を破壊し誤動作を防ぐことが可能となる。また、部品点数の増加、取付けの手間等の問題も解決でき、環境問題の点からも部品点数の削減が可能となる。さらに、実運転時、電子回路基板７の発熱でケース６内の温度が高くなり、外気の温度が前記ケース６内の温度よりも低くなった際には、ケース６内は結露による水滴が発生するが、ケース６の開口部を下向きにしているため、ケース６に水は溜まることなく、ケース６の外に排出されるため、電子回路基板７を浸水させ、回路を破壊し誤動作となることを防ぐことができる。
【００２２】
また、ケース６をポンプ設置状態でポンプ上部のモーターフレーム１上に配設したことで、ポンプに水がかかった場合でも、水が直接に電子回路基板７にかかることを防止する。
【００２３】
また、ケース６熱伝導性の良い材料（たとえばアルミニウム等）で形成して放熱機能を持たせることで、電子回路基板およびＤＣブラシレスモーターの温度上昇を効果的に抑え、放熱を促進することも可能となる。
【００２４】
【発明の効果】
以上の説明より明らかなように、本発明は、ＤＣブラシレスモーターの回転を制御する電子回路基板を内蔵したケースに水が溜まることなく、ケース外に水が排出され、電子回路の破壊・誤動作の防止ができ、さらに、放熱効果向上も可能になり、単純な構成と少部品点数で信頼性の高いＤＣブラシレスモータポンプを提供することができる。
【図面の簡単な説明】
【図１】本発明の実施の形態１のＤＣブラシレスモーターポンプの断側面図
【図２】従来のＤＣブラシレスモーターポンプの断側面図
【符号の説明】
１  モーターフレーム
２  ポンプケーシングカバー
３  吸込管
４  吐出管
５  ポンプケーシング
６  ケース
７  電子回路基板
８  取付ネジ
【図１】
0004449095.tif 000002
【図２】
0004449095.tif 000003